(57)【特許請求の範囲】
【請求項１】
床版長手方向に向けた中空部を有するコンクリート中空床版の下面より、前記中空部に達するアンカーボルト挿通孔を設け、該アンカーボルト挿通孔より前記アンカーボルトを挿入して該アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対しその下面より突出させた配置にアンカーボルトを設置するコンクリート中空床版に対するアンカーボルト設置方法において、
前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形することを特徴としてなるコンクリート中空床版に対するアンカーボルト設置方法。
【発明の詳細な説明】
【技術分野】
【０００１】
本発明は、例えば、落橋防止に用いられるアンカーボルトをコンクリート中空床版に設置するコンクリート中空床版に対するアンカーボルト設置方法に関する。
【背景技術】
【０００２】
従来、高架道路橋や河川橋には、重量を軽減することによる長スパン化や施工性向上等を目的としてコンクリート床版桁の内部に中空部を有するコンクリート中空床版が用いられている（例えば、特許文献１を参照）。
【０００３】
このコンクリート中空床版１は、図４、図５に示すように、床版１の下面より突出させた配置にアンカーボルト２，２...が設置され、このアンカーボルト２を介して橋台や橋脚等の下部工３に設置された変位制限装置４等に固定されるようになっている。
【０００４】
アンカーボルト２は、十分な付着強度を得るために中空部５を避けてコンクリート部内に埋め込まれている。
【０００５】
尚、変位制限装置４は、例えば、アンカーボルト２によりコンクリート中空床版１に固定され、下部工３を挟むように配置された一対の長手方向制止部材６，６と、両長手方向制止部材６，６の両側部に配置され、下部工３の側壁面にアンカーボルト７，７...により固定された幅方向制止部材８，８とを備え、橋長手方向及び幅方向の変位を制限するようになっている。
【特許文献１】特開２０００−２８２４１６号公報
【発明の開示】
【発明が解決しようとする課題】
【０００６】
しかし、上述の如き従来の技術では、中空部以外のコンクリート部に、床版全体の強度維持に必要な鉄筋やＰＣ緊張材が配置されていることが多く、中空部を避けてアンカーボルトを設置しようとすると鉄筋やＰＣ緊張材を傷つけるおそれがあり、また、鉄筋やＰＣ緊張材が複雑に配置されている場合には、アンカーボルトを設置する部分を確保できないという問題があった。
【０００７】
そこで本発明は、上述の従来技術の問題を鑑み、コンクリート中空床版に好適にアンカーボルトを設置することができるコンクリート中空床版に対するアンカーボルト設置方法の提供を目的とする。
【課題を解決するための手段】
【０００８】
上述の如き従来の問題を解決し、所期の目的を達成するための請求項１に記載の発明は、床版長手方向に向けた中空部を有するコンクリート中空床版の下面より、前記中空部に達するアンカーボルト挿通孔を設け、該アンカーボルト挿通孔より前記アンカーボルトを挿入して該アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対しその下面より突出させた配置にアンカーボルトを設置するコンクリート中空床版に対するアンカーボルト設置方法において、前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形することを特徴とする。
【発明の効果】
【０００９】
本発明に係るコンクリート中空床版に対するアンカーボルト設置方法は、床版長手方向に向けた中空部を有するコンクリート中空床版に対し、その下面より突出させた配置にアンカーボルトを設置するコンクリート中空床版に対するアンカーボルト設置方法において、前記コンクリート中空床版の下面より前記中空部に達するアンカーボルト挿通孔を設け、該アンカーボルト挿通孔より前記アンカーボルトを挿入し、前記アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対し前記アンカーボルトを設置することによって、抜け止め部により十分な強度が確保され、中空部を避けずともアンカーボルトを設置することができ、コンクリート床版中に配置された鉄筋やＰＣ緊張材を傷つけない。
【００１０】
また、前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形することによって、固化材が不要な部分に流れ出すのを防止することができる。
【発明を実施するための最良の形態】
【００１１】
次に、本発明に係るアンカーボルトの設置方法について説明する。尚、上述の従来例と同一の部分には同一符号を付して説明する。
【００１２】
図１は本発明方法によるアンカーボルト設置状態の一例を示し、図中符号１はコンクリート中空床版、符号２はアンカーボルトである。
【００１３】
コンクリート中空床版１は、図４、図５に示す従来例と同様に、床版長手方向に向けた中空部５，５...を有している。
【００１４】
このコンクリート中空床版１は、床版下面より突出させた配置にアンカーボルト２が設置され、このアンカーボルト２を介して橋台、橋脚等の下部工に設置された変位制限装置等に固定されるようになっている。
【００１５】
このアンカーボルト２の設置は、まず、所定の箇所にコアボーリングマシーン等により床版下面より中空部５に到達するアンカーボルト挿通孔１０を形成する。
【００１６】
このアンカーボルト挿通孔１０の内径は、アンカーボルト２の外径より十分に大きく、アンカーボルト２を挿入した状態で隙間からモルタル等の固化材を注入できる大きさとする。
【００１７】
次に、図２に示すように、アンカーボルト２の挿入側に流れ防止用袋１１を被せ、それをアンカーボルト挿通孔１０より中空部５内に挿入し、アンカーボルト２の一部を中空部５内に突出させる。
【００１８】
このとき、流れ防止用袋１１の基端開口部は、床版下面より下側に出した状態にしておく。
【００１９】
尚、先に流れ防止用袋１１を中空部内に挿入しておき、そこにアンカーボルト２を挿入するようにしてもよい。
【００２０】
そして、基端側開口部より防止用袋１１内にモルタル等の固化材１２を注入し、流れ防止用袋１１内に固化材１２を充填する。
【００２１】
この流れ防止用袋１１は、広がった際に、外形がアンカーボルト挿通孔１０の内径よりも大きくなるように形成されており、固化材１２を充填し、十分養生し硬化させることにより、外形が流れ防止用袋１１に覆われ、アンカーボルト挿通孔１０の内径よりも外形が大きい抜け止め部１３が、中空部５内のアンカーボルト２の周囲にアンカーボルト２と一体化されて形成される。
【００２２】
このようにアンカーボルト挿通孔１０の内径よりも大きい抜け止め部１３が形成されたことにより、アンカーボルト２がコンクリート中空床版１に対し、その下面より突出させた配置に抜け出し不能に設置される。
【００２３】
尚、流れ防止用袋は、上述の形態に限定されず、その他図３に示す如き形状であってもよい。
【００２４】
この流れ防止用袋１４を使用することにより、袋１４が広がった際、即ち、流れ防止用袋１４内に固化材１５が充填された際に、下端にフランジ部１６を有する抜け止め部１７が形成されるようになっている。
【００２５】
また、この場合、アンカーボルト２の周囲の固化材量が少ないので強度を得るために、固化材１５には、高強度モルタルを使用する。
【００２６】
更に、流れ防止用袋は、バルーン（風船）等のように伸縮性を有するものであってもよい。
【図面の簡単な説明】
【００２７】
【図１】本発明方法により設置されたアンカーボルトの設置状態の一例を示す断面図である。
【図２】同上のアンカーボルト設置方法におけるアンカーボルト挿入工程の状態を示す断面図である。
【図３】本発明方法により設置されたアンカーボルトの設置状態の他の一例を示す断面図である。
【図４】従来のコンクリート中空床版の変位制限構造を示す断面図である。
【図５】同上のＡ−Ａ線断面図である。
【符号の説明】
【００２８】
１ コンクリート中空床版
２ アンカーボルト
５ 中空部
１０ アンカーボルト挿通孔
１１ 流れ防止用袋
１２ 固化材（モルタル）
１３ 抜け止め部
１４ 流れ防止用袋
１５ 固化材（高強度モルタル）
１６ フランジ部
１７ 抜け止め部
【図４】
0004556212.tif 000002
【図５】
0004556212.tif 000003
【図１】
0004556212.tif 000004
【図２】
0004556212.tif 000005
【図３】
0004556212.tif 000006